(57)【要約】【課題】本願は、本発明の靴下が引っ張られる時より均一且つより高い伸縮性を有し、靴下の被覆性と着用快適性を保証する快適性の高い脱落防止靴下およびその編み方を開示する。【解決手段】つま先部、ボディ部および踵部を有し、つま先部および踵部はいずれもボディ部に連結されており、靴下には第１編み構造および第２編み構造が設けられており、第１編み構造は、第１引き返し編み領域および第１引き返し編み領域のつま先部に近接する一側に設けられている第１拾い目編み領域を有し、第２編み構造が引き返し編み構造である場合、第２引き返し編み領域が形成されており、第２引き返し編み領域は第１拾い目編み領域に連結されており、第２編み構造が拾い目編み構造である場合、第２拾い目編み領域が形成されており、第２拾い目編み領域は第１引き返し編み領域に連結されている。【選択図】図３
2019052407.tif 000002
【特許請求の範囲】
【請求項１】
つま先部、ボディ部および踵部を有する靴下であって、
前記つま先部および踵部はいずれもボディ部に連結されており、前記靴下には第１編み構造および第２編み構造が設けられており、
前記第１編み構造は、第１引き返し編み領域、および第１引き返し編み領域の前記つま先部に近接する一側に設けられている第１拾い目編み領域を有し、
前記第２編み構造が引き返し編み構造である場合、第２引き返し編み領域が形成されており、前記第２引き返し編み領域は前記第１拾い目編み区域に連結されており、
前記第２編み構造が拾い目編み構造である場合、第２拾い目編み領域が形成されており、前記第２拾い目編み領域は前記第１引き返し編み領域に連結されている、
ことを特徴とする快適な脱落防止靴下。
【請求項２】
前記第１編み構造および第２編み構造は前記踵部に設けられており、前記第２編み構造は第２引き返し編み領域を有し、前記第２引き返し編み領域は前記第１拾い目編み領域に連結されている、ことを特徴とする請求項１に記載の快適な脱落防止靴下。
【請求項３】
前記第１引き返し編み区域の段数は前記第１拾い目編み区域の段数と等しい、ことを特徴とする請求項２に記載の快適な脱落防止靴下。
【請求項４】
前記第１引き返し編み区域の段数は前記第１拾い目編み区域の段数より少ない、ことを特徴とする請求項２に記載の快適な脱落防止靴下。
【請求項５】
前記第１編み構造は踵部のメインまち縫いを形成しており、前記第２編み構造は踵部のサブまち縫いを形成しており、前記踵部のメインまち縫いの長さは前記踵部のサブまち縫いの長さより大きい、ことを特徴とする請求項２に記載の快適な脱落防止靴下。
【請求項６】
前記第１編み構造および第２編み構造は前記つま先部に設けられており、      前記第２編み構造は第２拾い目編み領域を有し、前記第２拾い目編み領域は前記第２拾引き返し編み領域に連結されている、ことを特徴とする請求項１に記載の快適性の高い脱落防止靴下。
【請求項７】
前記第１引き返し編み領域の段数は前記第２引き返し編み領域の段数と等しい、ことを特徴とする請求項６に記載の快適な脱落防止靴下。
【請求項８】
前記第１編み構造はつま先部のメインまち縫いを形成しており、前記第２拾い目編み構造はつま先部のサブまち縫いを形成しており、前記つま先部のメインまち縫いの長さは前記つま先部のサブまち縫いの長さより大きい、ことを特徴とする請求項６に記載の快適な脱落防止靴下。
【請求項９】
前記第１編み構造と第２編み構造との交角は６０°〜１５０°である、ことを特徴とする請求項１に記載の快適ない脱落防止靴下。
【請求項１０】
丸編みまたは横編みプロセスを採用する請求項１〜９のいずれか一項に記載の快適な脱落防止靴下の編成方法であって、
第１引き返し編み領域を編成し、その後第１引き返し編み領域の端部において第１拾い目編み領域を編成し、かつ前記第１引き返し編み領域と連結させる、第編み構造を編成するステップＳ１１と、
第２編み構造が引き返し編み構造である場合、ステップＳ１１において前記第１拾い目編み領域を編成した後、第１拾い目編み領域の端部において第２引き返し編み領域を編成し、第２編み構造が拾い目編み構造である場合、ステップＳ１１において前記第１引き返し編み領域を編成する前に、先ず第２拾い目編み領域を編成し、第２拾い目編み領域の端部は前記第１引き返し編み領域に連結される、第２編み構造を編成するステップ（Ｓ１２）と、
を含むことを特徴とする快適な脱落防止靴下の編成方法。
【発明の詳細な説明】
【技術分野】
【０００１】
本発明は糸編み分野に関し、特に快適な脱落防止靴下およびその編成方法に関する。
【背景技術】
【０００２】
足の着用に適するために、従来の靴下は踵部を編む際、「一字踵」または「Ｙ踵」のプロセスを採用することが多く、即ち「一」字または「Ｙ」字の形状に沿って拾い目編みおよび引き返し編みの編み方によって対応する編み構造を形成する。
【０００３】
しかしながら、「一字踵」の編み構造の編み長さは設備により大きく限定され、編み出された踵部は望ましい形に達成することが難しい。また、「Ｙ踵」は編みプロセスの影響により、分岐部分の角度がほぼ４５°位に限定され、足型に応じて踵部の寸法を拡大しようとする場合、編み構造の角度が限定されているため、靴下の形状はゆるみが発生しやすい形に変形され、有効な脱落防止効果を達成することができない。また、従来のつま先部の編み方の技術では、縫い目の位置はつま先の前端に近接しており、滑りやすく、被覆性が悪い。
【発明の概要】
【発明が解決しようとする課題】
【０００４】
本発明は上記問題に鑑みてなされたものであり、従来技術における靴下脱落防止効果が悪いという問題を解決する快適な脱落防止靴下およびその編成方法を提供することを目的とする。
【課題を解決するための手段】
【０００５】
上記の目的を達成するための本発明に係る快適な脱落防止靴下は、つま先部、ボディ部および踵部を有する靴下であって、前記つま先部および踵部はいずれもボディ部に連結されており、前記靴下には第１編み構造および第２編み構造が設けられており、前記第１編み構造は、第１引き返し編み領域、および第１引き返し編み領域の前記つま先部に近接する一側に設けられている第１拾い目編み領域を有し、前記第２編み構造が引き返し編み構造である場合、第２引き返し編み領域が形成されており、前記第２引き返し編み領域は前記第１拾い目編み区域に連結されており、前記第２編み構造が拾い目編み構造である場合、第２拾い目編み領域が形成されており、前記第２拾い目編み領域は前記第１引き返し編み領域に連結されている。
【０００６】
靴下に第１編み構造が互いに結合されている第１引き返し編み領域および第１拾い目編み領域により形成される拾い目編みおよび引き返し編みの編成を設置し、さらに第２編み構造における第２引き返し編み領域または第２拾い目編み領域を結合して引き出し回数を増やすれば、第１編み構造と第２編み構造とが一体に連結されているため、靴下は引っ張られる際により均一且つより高い伸縮性を有し、靴下の被覆性と脱落防止の滑り止めの効果を保証することができる。
【０００７】
本発明の一実施形態によれば、前記第１編み構造および第２編み構造は前記踵部に設けられており、前記第２編み構造は第２引き返し編み領域を有し、前記第２引き返し編み領域は前記第１拾い目編み領域に連結されている。
【０００８】
本発明の一実施形態によれば、前記第１引き返し編み区域の段数は前記第１拾い目編み区域の段数と等しい。
【０００９】
本発明の一実施例によれば、前記第１引き返し編み区域の段数は前記第１拾い目編み区域の段数より少ない。
【００１０】
靴下を脱ぎ履きする際に靴下が引っ張られることがあり、ボディ部から踵部に向かって延伸する第１編み構造は、引っ張られる過程において受ける応力と変形量がいずれも比較的に大きく、一方、第２編み構造は延伸方向がつま先部に向かっており、靴下全体の延伸方向との間の交角が比較的に小さいため、受ける伸張応力は小さい。第１編み構造において第２編み構造よりも多い段数を編成することにより、靴下が応力を受ける際に２つの編み構造の変形および受ける範囲のバランスをさらに良好にし、靴下構造の安定性を保証し、緩みにくくする。
【００１１】
本発明の一実施例によれば、前記第１編み構造は踵部のメインまち縫いを形成し、前記第２編み構造は踵部のサブまち縫いを形成し、前記踵部のメインまち縫いの長さは前記踵部のサブまち縫いの長さより大きい。
【００１２】
前記第１編み構造および第２編み構造は前記つま先部に設けられており、前記第２編み構造は第２拾い目編み領域を有し、前記第２拾い目編み領域は前記第２拾引き返し編み領域に連結されている。
【００１３】
つま先部の形状が比較的に整然としているため、引張と応力の方向はいずれも均一で一致しており、底部に向かっている第２編み構造は直接第２拾い目編み領域において底部のループの編み目数を増やし、その後つま先部に向く第１編み構造は拾い目編みおよび引き返し編みの構造により編み構造の間の連結を強化することにより、靴下甲部の寸法および構造を最適化する。編み目数が増加される靴下底部の編み構造は被覆がさらに緊密且つ均等であり、靴下の着用快適性を向上する。
【００１４】
本発明の一実施形態によれば、前記第１引き返し編み領域の段数は前記第２引き返し編み領域の段数と等しい。
【００１５】
本発明の一実施形態によれば、前記第１編み構造はつま先部のメインまち縫いを形成しており、前記第２拾い目編み構造はつま先部のサブまち縫いを形成しており、前記つま先部のメインまち縫いの長さは前記つま先部のサブまち縫いの長さより大きい。
【００１６】
本発明の一実施形態によれば、前記第１編み構造と第２編み構造との交角は６０°〜１５０°である。
【００１７】
第１編み構造は連結を強化するための拾い目編みおよび引き返し編みの編み構造を有し、第２編み構造は靴下の引き出しの編み目数を減らすための拾い目編みの編み構造と靴下の引き出しの編み目数を増加するための拾い目編みの編み構造を有し、異なる編み構造のボディ部における結合性能も異なり、第１編み構造と第２編み構造の伸張方向を９０°位になるように設置し、即ち、２種類の編み構造の間が互いに垂直している場合、編み構造間の作用は互いに相殺されず効果を最大にすることができ、底部の引張性能に対する向上が最も顕著である。靴下はフレキシブルな織物であるため、形状が完全に固定されにくく、そこで実際の製品では、９０°位の編み構造の配置により類似する効果を実現することができる。
【００１８】
本発明の一実施例によれば、該編成方法は丸編みまたは横編みプロセスを採用し、該編成方法は、第１引き返し編み領域を編成し、その後第１引き返し編み領域の端部において第１拾い目編み領域を編成し、かつ前記第１引き返し編み領域と連結させる、第編み構造を編成するステップＳ１１と、第２編み構造が引き返し編み構造である場合、ステップＳ１１において前記第１拾い目編み領域を編成した後、第１拾い目編み領域の端部において第２引き返し編み領域を編成し、第２編み構造が拾い目編み構造である場合、ステップＳ１１において前記第１引き返し編み領域を編成する前に、先ず第２拾い目編み領域を編成し、第２拾い目編み領域の端部は前記第１引き返し編み領域に連結される、第２編み構造を編成するステップＳ１２と、を含む。
【図面の簡単な説明】
【００１９】
【図１】拾い目編みの編み構造を示す図である。
【図２】引き返し編みの編み構造を示す図である。
【図３】本発明の快適な脱落防止靴下の構造を示す図である。
【図４】本発明の快適な脱落防止靴下の踵部の第１実施例の編み構造を示す図である。
【図５】本発明の快適な脱落防止靴下の踵部の第１実施例の編み展開図である。
【図６】本発明の快適な脱落防止靴下の踵部の第２実施例の編み構造を示す図である。
【図７】本発明の快適な脱落防止靴下の踵部の第２実施例の編み展開図である。
【図８】本発明の快適な脱落防止靴下のつま先部の構造を示す図である。
【図９】本発明の快適な脱落防止靴下のつま先部の編み展開図である。
【図１０】本発明の快適な脱落防止靴下のつま先部の縫い目ループの位置を示す図である。
【発明を実施するための形態】
【００２０】
以下、図面を参照しながら本発明について詳細に説明する。
図１および図２は編み構造を示す図であり、０はループを引き出さないことを表し、１はループを引き出すことを表し、拾い目編み構造はループの引き出し段の増加に伴い各段の編み目の数が徐々に増加する編み構造であり、引き返し編み構造はすべり目を編むことで、段の増加に伴い各段の編み目の数が徐々に減少する編み構造である。第１編み構造２１と第２編み構造２２が一体に結合されるため、靴下が引っ張られる際により均一かつより高い伸縮性を有し、靴下の被覆性と脱落防止滑り止めの効果を保証することができる。
【００２１】
図３〜図７に示すように、実線は引き返し編み構造を示し、破線は拾い目編み構造を示し、本発明の実施例に係る快適な脱落防止靴下は、つま先部１１、ボディ部１２および踵部１３を有し、つま先部１１および踵部１３はいずれもボディ部１２に連結され、靴下は第１編み構造２１および第２編み構造２２を有する。ここで、第１編み構造２１は互いに連結される第１引き返し編み領域Ａ１および第１拾い目編み領域Ｂ１を有し、第１拾い目編み領域Ｂ１は第１引き返し編み領域Ａ１においてつま先部１１の一側に傾いて延伸する。
【００２２】
第２編み構造が引き返し編み構造である場合、第２引き返し編み領域Ａ２を形成し、第２引き返し編み領域Ａ２は第１拾い目編み領域Ｂ１に連結される。一方、第２編み構造が拾い目編み構造である場合、第２拾い目編み領域Ｂ２を形成し、第２拾い目編み領域Ｂ２は第１引き返し編み領域Ａ１に連結される。
【００２３】
第１編み構造および第２編み構造が踵部１３にある場合、第２編み構造２２は第２引き返し編み領域Ａ２を有し、第２引き返し編み領域Ａ２は第１拾い目編み領域Ｂ１に連結される。展開図において示すように、第１編み構造２１における第１引き返し編み領域Ａ１においては、底部１４に近接する方向に、そのループの編み目の数が徐々に減少する台形ｅｅｆｆ（ｓｓｔｔ）の形状を呈し、第１拾い目編み領域Ｂ１においては、底部１４から離れる方向に、そのループ編み目の数が徐々に増加する台形ｆ’ｆ’ｅ’ｅ’（ｔｔｒｒ）の形状を呈する。第２編み構造２２における第２引き返し編み領域Ａ２と第１編み構造２１における第１拾い目編み領域Ｂ１とは互いに連結され、底部１４に近接する方向に、そのループ編み目の数が徐々に減少する台形ｅ’ｅ’ｇｇ（ｒｒｕｕ）の形状を呈する。
【００２４】
本発明の好ましい第一実施態様によれば、第１引き返し編み領域Ａ１の段数は第１拾い目編み領域Ｂ１の段数と等しく、即ち展開図における第１引き返し編み領域Ａ１の開始点ｅと第１拾い目編み領域Ｂ１の終点ｅ’とは互いに位置合わせされている。
【００２５】
本発明の好ましい第二実施態様によれば、第１引き返し編み領域Ａ１の段数は第１拾い目編み領域Ｂ１の段数より少なく、即ち展開図における第１引き返し編み領域Ａ１の開始点ｓと第１拾い目編み領域Ｂ１の終点ｒは位置合わせされておらず、ｓｔ間の水平距離はｔｒ間の水平距離より短い。
【００２６】
編成する際、ｅ（ｓ）を開始点として、底部１４の方向に向かって第１編み構造２１における第１引き返し編み領域Ａ１を編成して踵部のメインまち縫いｅｆ（ｓｔ）を形成し、続いて、点ｆ（ｔ）に位置合わせられたｆ’（ｔ’）を開始点として、第１編み構造２１における第１拾い目編み領域Ｂ１を編成し始め、点ｅ’（ｒ）に達するまで編み続ける。続いて、点ｅ’（ｒ）を開始点として第２編み構造２２における第２引き返し編み領域Ａ２を編成して踵部のサブまち縫いｅ’ｇ（ｒｕ）を形成する。好ましくは、第１編み構造２１により形成される踵部のメインまち縫いｅｆ（ｓｔ）の長さは第２編み構造２２により形成される踵部のサブまち縫いｅ’ｇ（ｒｕ）より大きい。
【００２７】
靴下を脱ぎ履きする際に靴下が引っ張られることがあり、ボディ部１２から踵部１３の方向に向かって延伸する第１編み構造２１は引っ張られる過程において受ける応力と変形量がいずれも比較的に大きく、一方、第２編み構造２２は延伸する方向がつま先部１１に向っかており、靴下全体の延伸方向と平行するため、受ける伸張応力は比較的に小さい。第１編み構造２１により形成される踵部のメインまち縫いの長さは第２編み構造２２において形成される踵部のサブまち縫いの長さより大きいため、靴下が応力を受ける際に２つの編み構造の変形および受ける範囲のバランスをさらによくし、靴下構造の安定性を保証し緩みにくくする。
【００２８】
図８および図９に示すように、第１編み構造と第２編み構造が靴下のつま先部１１にある場合、第１編み構造２１は互いに連結されている第１引き返し編み領域Ａ１および第１拾い目編み領域Ｂ１を有し、第１拾い目編み領域Ｂ１は第１引き返し編み領域Ａ１のつま先部１１に向かう一側に傾き、第２編み構造２２は第２拾い目編み領域Ｂ２を有し、第２拾い目編み領域Ｂ２は第１引き返し編み領域Ａ１に連結されている。展開図に示すように、第１編み構造２１における第１引き返し編み領域Ａ１は、底部１４に近接する方向に、そのループ編み目の数が徐々に減少する台形ＪＪＫＫの形状を呈し、第１拾い目編み領域Ｂ１は、底部１４から離れる方向に、そのループ編み目の数が徐々に増加する台形Ｋ’Ｋ’Ｊ’Ｊ’の形状を呈している。第２編み構造２２における第２拾い目編み領域Ｂ２と第１編み構造２１における第１引き返し編み領域Ａ１とは互いに連結され、底部１４から離れる方向に、そのループ編み目の数が徐々に増加する台形ＨＨＪＪの形状を呈している。
【００２９】
つま先部１１の部分の形状が比較的に整然としているため、引張と応力の方向はいずれも均一且つ一致しており、底部１４に向く第２編み構造２２は直接拾い目編みで編成し底部のループの編み目の数を徐々に増加し、その後つま先部１１に向く第１編み構造２１は第１拾い目編み領域Ｂ１および第１引き返し編み領域Ａ１を有する構造により編み構造との間の連結を強化し、靴下甲部の寸法および構造を最適化する。編み目数が増加される底部１４の編み構造は被覆がさらに緊密且つ均等になり、靴下の着用快適性を向上する。
【００３０】
好ましくは、つま先部の第１引き返し編み領域Ａ１の段数は第１拾い目編み区域Ｂ１の段数と等しく、即ち、展開図における第１引き返し編み領域Ａ１の開始点Ｊと第１拾い目編み領域Ｂ１の終点Ｊ’とは互いに位置合わせされている。
【００３１】
編成する際、Ｈを開始点として、底部１４から離れる方向に向かって第２編み構造２２における第２拾い目編み領域Ｂ２を編成してつま先部のサブまち縫いＨＪを形成し、続いて、Ｊ点を開始点として、第１編み構造２１における第１引き返し編み領域Ａ１を編成し、続いて、点Ｋに位置合わせされた点Ｋ’を開始点として、第１編み構造２１における第１引き返し編み領域Ｂ１を編成し始め、点Ｊ’に達するまで編み続け、つま先部のメインまち縫いＪＫを形成する。好ましくは、第１編み構造２１において形成されたつま先部のメインまち縫いＪＫの長さは第２編み構造２２において形成されたつま先部のサブまち縫いＨＪより大きい。
【００３２】
好ましくは、第１編み構造と第２編み構造との交角は６０°〜１５０°である。成形段階のプロセスにより第１編み構造と第２編み構造との交角を９０°位に設置し、即ち、２種類の編み構造が互いに垂直している場合、編み構造間の作用は互いに相殺されず効果を最大にすることができ、底部の引張性能に対する向上は最も顕著である。靴下はフレキシブルな織物であり、形状が完全に固定されにくいため、９０°に近い編み構造の配置により類似する効果を実現することができる。
【００３３】
図１０に示すように、破線は従来の編み方の縫い目の位置を表し、実線は本発明の技術的解決手段を採用した後の縫い目の位置を表す。該編み構造を採用した後、つま先部の縫い目の位置は編み構造の引張作用のもとでつま先の後方に移動され、位置はさらに合理的であり、靴下の底部に対する被覆の快適さを向上する。
【００３４】
以上は本発明の好ましい実施形態に過ぎず、これらは本発明の保護範囲を限定するものではない。本発明の明細書および図面の内容により行われた均等の構造変換を利用し、その他の関連技術分野に直接または間接的に適用することは、同様に全て本発明の保護範囲に含まれる。
【符号の説明】
【００３５】
１１  つま先部、
１２  ボディ部、
１３  踵部、
１４  底部、
２１  第１編み構造、
２２  第２編み構造、
Ａ１  第１引き返し編み区域、
Ｂ１  第１拾い目編み区域、
Ａ２  第２引き返し編み区域、
Ｂ２  第２拾い目編み区域。
【図１】
2019052407.tif 000003
【図２】
2019052407.tif 000004
【図３】
2019052407.tif 000005
【図４】
2019052407.tif 000006
【図５】
2019052407.tif 000007
【図６】
2019052407.tif 000008
【図７】
2019052407.tif 000009
【図８】
2019052407.tif 000010
【図９】
2019052407.tif 000011
【図１０】
2019052407.tif 000012
【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
つま先部、ボディ部および踵部を有する靴下であって、
前記つま先部および踵部はいずれもボディ部に連結されており、前記踵部には第１編み構造および第２編み構造が設けられており、
前記第１編み構造は、第１引き返し編み領域、および第１引き返し編み領域の前記つま先部に近接する一側に設けられている第１拾い目編み領域を有し、
前記第２編み構造は、前記第１拾い目編み領域に連結されている第２引き返し編み領域を有し、
前記第１引き返し編み領域の側縁は前記第１拾い目編み領域の側縁に連結されて同一直線上に位置されており、前記第１引き返し編み領域の段数は前記第１拾い目編み領域の段数より少なく、前記第１引き返し編み領域の側縁の直線長さは前記第１拾い目編み領域の側縁の直線長さより短い、
ことを特徴とする快適な脱落防止靴下。
【請求項２】
前記第１編み構造は踵部のメインまち縫いを形成しており、前記第２編み構造は踵部のサブまち縫いを形成しており、前記踵部のメインまち縫いの長さは前記踵部のサブまち縫いの長さより大きい、ことを特徴とする請求項１に記載の快適な脱落防止靴下。
【請求項３】
前記踵部のメインまち縫いと前記踵部のサブまち縫いとのなす交角は自然状態において６０°〜１５０°である、ことを特徴とする請求項２に記載の快適な脱落防止靴下。
【請求項４】
前記つま先部に設けられている第３編み構造および第４編み構造をさらに含み、
前記第３編み構造は、互いに連結されている第３引き返し編み領域および第３拾い目編み領域を有し、前記第３拾い目編み領域は前記第３引き返し編み領域の前記つま先部に向かう一側に傾いており、
前記第４編み構造は、前記第３引き返し編み領域に連結されている第４拾い目編み領域を有する、
ことを特徴とする請求項１〜３のいずれか一項に記載の快適な脱落防止靴下。
【請求項５】
前記第３引き返し編み領域の段数は前記第３拾い目編み領域の段数と等しい、
ことを特徴とする請求項４に記載の快適な脱落防止靴下。
【請求項６】
前記第３編み構造はつま先部のメインまち縫いを形成しており、前記第４編み構造はつま先部のサブまち縫いを形成しており、前記つま先部のメインまち縫いの長さは前記つま先部のサブまち縫いの長さより大きい、ことを特徴とする請求項４または５に記載の快適な脱落防止靴下。
【請求項７】
前記つま先部のメインまち縫いと前記つま先部のサブまち縫いとのなす交角は自然状態において６０°〜１５０°である、ことを特徴とする請求項６に記載の快適な脱落防止靴下。
【請求項８】
丸編みまたは横編みプロセスを採用する請求項１〜３のいずれか一項に記載の快適な脱落防止靴下の編成方法であって、前記踵部において、
第１引き返し編み領域を編成し、その後第１引き返し編み領域の端部において第１拾い目編み領域を編成し、かつ前記第１引き返し編み領域と連結させる、第１編み構造を編成するステップＳ１１と、
前記第１拾い目編み領域を編成した後、第１拾い目編み領域の端部において第２引き返し編み領域を編成し、かつ前記第１拾い目編み領域と連結させる、第２編み構造を編成するステップＳ１２と、を含み、
前記ステップＳ１１においては、前記第１引き返し編み領域の側縁が前記第１拾い目編み領域の側縁と同一直線上に位置され、前記第１引き返し編み領域の段数が前記第１拾い目編み領域の段数より少なく、前記第１引き返し編み領域の側縁の直線長さが前記第１拾い目編み領域の側縁の直線長さより短くなるように編成する、
ことを特徴とする快適な脱落防止靴下の編成方法。
【請求項９】
前記つま先部において、
第４拾い目編み領域を編成することにより第４編み構造を編成するステップＳ２１と、
前記第４拾い目編み領域を編成した後、前記第４拾い目編み領域の端部において第３引き返し領域を編成し、かつ前記第４拾い目編み領域と連結させ、その後、第３引き返し編み領域の端部において第３拾い目編み領域を編成し、かつ前記第３引き返し編み領域と連結させる、第３編み構造を編成するステップＳ２２と、
をさらに含む、ことを特徴とする請求項８に記載の快適な脱落防止靴下の編成方法。
【請求項１０】
前記ステップＳ２２においては、
前記第３引き返し編み領域の側縁が前記第３拾い目編み領域の側縁と同一直線上に位置され、前記第３引き返し編み領域の段数が前記第３拾い目編み領域の段数と等しく、前記第３引き返し編み領域の側縁の直線長さが前記第３拾い目編み領域の側縁の直線長さと同じくなるように編成する、
ことを特徴とする請求項９に記載の快適な脱落防止靴下の編成方法。
【手続補正２】
【補正対象書類名】明細書
【補正対象項目名】０００５
【補正方法】変更
【補正の内容】
【０００５】
上記の目的を達成するための本発明に係る快適な脱落防止靴下は、つま先部、ボディ部および踵部を有する靴下であって、前記つま先部および踵部はいずれもボディ部に連結されており、前記踵部には第１編み構造および第２編み構造が設けられており、前記第１編み構造は、第１引き返し編み領域、および第１引き返し編み領域の前記つま先部に近接する一側に設けられている第１拾い目編み領域を有し、前記第２編み構造は、前記第１拾い目編み領域に連結されている第２引き返し編み領域を有し、前記第１引き返し編み領域の側縁は前記第１拾い目編み領域の側縁に連結されて同一直線上に位置されており、前記第１引き返し編み領域の段数は前記第１拾い目編み領域の段数より少なく、前記第１引き返し編み領域の側縁の直線長さは前記第１拾い目編み領域の側縁の直線長さより短い。
【手続補正３】
【補正対象書類名】明細書
【補正対象項目名】０００７
【補正方法】変更
【補正の内容】
【０００７】
本発明の一実施形態によれば、前記第１編み構造は踵部のメインまち縫いを形成しており、前記第２編み構造は踵部のサブまち縫いを形成しており、前記踵部のメインまち縫いの長さは前記踵部のサブまち縫いの長さより大きい。
【手続補正４】
【補正対象書類名】明細書
【補正対象項目名】０００８
【補正方法】変更
【補正の内容】
【０００８】
本発明の一実施形態によれば、前記踵部のメインまち縫いと前記踵部のサブまち縫いとのなす交角は自然状態において６０°〜１５０°である。
【手続補正５】
【補正対象書類名】明細書
【補正対象項目名】０００９
【補正方法】削除
【補正の内容】
【手続補正６】
【補正対象書類名】明細書
【補正対象項目名】００１１
【補正方法】変更
【補正の内容】
【００１１】
本発明の一実施例によれば、前記つま先部に設けられている第３編み構造および第４編み構造をさらに含み、前記第３編み構造は、互いに連結されている第３引き返し編み領域および第３拾い目編み領域を有し、前記第３拾い目編み領域は前記第３引き返し編み領域の前記つま先部に向かう一側に傾いており、前記第４編み構造は、前記第３引き返し編み領域に連結されている第４拾い目編み領域を有する。
【手続補正７】
【補正対象書類名】明細書
【補正対象項目名】００１２
【補正方法】変更
【補正の内容】
【００１２】
本発明の一実施例によれば、前記第３引き返し編み領域の段数は前記第３拾い目編み領域の段数と等しい。
【手続補正８】
【補正対象書類名】明細書
【補正対象項目名】００１３
【補正方法】変更
【補正の内容】
【００１３】
つま先部の形状が比較的に整然としているため、引張と応力の方向はいずれも均一で一致しており、底部に向かっている第４編み構造は直接第４拾い目編み領域において底部のループの編み目数を増やし、その後つま先部に向く第３編み構造は拾い目編みおよび引き返し編みの構造により編み構造の間の連結を強化することにより、靴下甲部の寸法および構造を最適化する。編み目数が増加される靴下底部の編み構造は被覆がさらに緊密且つ均等であり、靴下の着用快適性を向上する。
【手続補正９】
【補正対象書類名】明細書
【補正対象項目名】００１４
【補正方法】変更
【補正の内容】
【００１４】
本発明の一実施形態によれば、前記第３編み構造はつま先部のメインまち縫いを形成しており、前記第４拾い目編み構造はつま先部のサブまち縫いを形成しており、前記つま先部のメインまち縫いの長さは前記つま先部のサブまち縫いの長さより大きい。
【手続補正１０】
【補正対象書類名】明細書
【補正対象項目名】００１５
【補正方法】変更
【補正の内容】
【００１５】
本発明の一実施形態によれば、前記つま先部のメインまち縫いと前記つま先部のサブまち縫いとのなす交角は自然状態において６０°〜１５０°である。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
第１編み構造および第３編み構造は連結を強化するための拾い目編みおよび引き返し編みの編み構造を有し、第２編み構造は靴下の引き出しの編み目数を減らすための引き返し編みの編み構造を有し、第４編み構造は靴下の引き出しの編み目数を増加するための拾い目編みの編み構造を有し、異なる編み構造のボディ部における結合性能も異なり、第１編み構造と第２編み構造の伸張方向および第３編み構造と第４編み構造の伸張方向を９０°位になるように設置し、即ち、２種類の編み構造の間が互いに垂直している場合、編み構造間の作用は互いに相殺されず効果を最大にすることができ、底部の引張性能に対する向上が最も顕著である。靴下はフレキシブルな織物であるため、形状が完全に固定されにくく、そこで実際の製品では、９０°位の編み構造の配置により類似する効果を実現することができる。
【手続補正１３】
【補正対象書類名】明細書
【補正対象項目名】００１８
【補正方法】変更
【補正の内容】
【００１８】
本発明の一実施例によれば、該編成方法は丸編みまたは横編みプロセスを採用し、該編成方法は、前記踵部において、第１引き返し編み領域を編成し、その後第１引き返し編み領域の端部において第１拾い目編み領域を編成し、かつ前記第１引き返し編み領域と連結させる、第１編み構造を編成するステップＳ１１と、前記第１拾い目編み領域を編成した後、第１拾い目編み領域の端部において第２引き返し編み領域を編成し、かつ前記第１拾い目編み領域と連結させる、第２編み構造を編成するステップＳ１２と、を含み、前記ステップＳ１１においては、前記第１引き返し編み領域の側縁が前記第１拾い目編み領域の側縁と同一直線上に位置され、前記第１引き返し編み領域の段数が前記第１拾い目編み領域の段数より少なく、前記第１引き返し編み領域の側縁の直線長さが前記第１拾い目編み領域の側縁の直線長さより短くなるように編成する。
また、本発明の一実施例によれば、前記つま先部において、第４拾い目編み領域を編成し、その後第４拾い目編み領域の端部において第３引き返し領域を編成し、かつ前記第４拾い目編み領域と連結させる、第４編み構造を編成するステップＳ２１と、前記第３引き返し編み領域を編成した後、第３引き返し編み領域の端部において第３拾い目編み領域を編成し、かつ前記第３引き返し編み領域と連結させる、第３編み構造を編成するステップＳ２２と、をさらに含む。
さらに、本発明の一実施例によれば、前記ステップＳ２２においては、前記第３引き返し編み領域の側縁が前記第３拾い目編み領域の側縁と同一直線上に位置され、前記第３引き返し編み領域の段数が前記第３拾い目編み領域の段数と等しく、前記第３引き返し編み領域の側縁の直線長さが前記第３拾い目編み領域の側縁の直線長さと同じくなるように編成する。
【手続補正１４】
【補正対象書類名】明細書
【補正対象項目名】００３０
【補正方法】変更
【補正の内容】
【００３０】
好ましくは、つま先部の第１引き返し編み領域Ａ１の段数は第１拾い目編み領域Ｂ１の段数と等しく、即ち、展開図における第１引き返し編み領域Ａ１の開始点Ｊと第１拾い目編み領域Ｂ１の終点Ｊ’とは互いに位置合わせされている。
【手続補正１５】
【補正対象書類名】明細書
【補正対象項目名】００３１
【補正方法】変更
【補正の内容】
【００３１】
編成する際、Ｈを開始点として、底部１４から離れる方向に向かって第２編み構造２２における第２拾い目編み領域Ｂ２を編成してつま先部のサブまち縫いＨＪを形成し、続いて、Ｊ点を開始点として、第１編み構造２１における第１引き返し編み領域Ａ１を編成し、続いて、点Ｋに位置合わせされた点Ｋ’を開始点として、第１編み構造２１における第１拾い目編み領域Ｂ１を編成し始め、点Ｊ’に達するまで編み続け、つま先部のメインまち縫いＪＫを形成する。好ましくは、第１編み構造２１において形成されたつま先部のメインまち縫いＪＫの長さは第２編み構造２２において形成されたつま先部のサブまち縫いＨＪより大きい。
【手続補正１６】
【補正対象書類名】明細書
【補正対象項目名】００３５
【補正方法】変更
【補正の内容】
【００３５】
１１  つま先部、
１２  ボディ部、
１３  踵部、
１４  底部、
２１  第１編み構造、
２２  第２編み構造、
Ａ１  第１引き返し編み領域、
Ｂ１  第１拾い目編み領域、
Ａ２  第２引き返し編み領域、
Ｂ２  第２拾い目編み領域。